(57)【要約】【課題】雨水が浸入してもモルタル層のクラックの発生を防止することができる建物の外壁構造を提供する。【解決手段】外壁１０は、モルタル外壁Ｗ１上に上塗層Ｗ２が形成された漆喰の壁面である。モルタル外壁Ｗ１は、建物の躯体２０に設けられた防水シート１１と、防水シート１１に通気空間１２を空けて配置された不織布シート１４と、不織布シート１４に設けられたラス網１６と、不織布シート１４上にモルタル材を塗布して形成されたモルタル層１５とを備えている。通気空間１２は、隙間部材１３により形成されている。モルタル層１５が不織布シート１４に塗布されて形成されることで、モルタル材がしっかりと不織布シート１４に担持されるので、層厚なモルタル層１５を不織布シート１４上に形成することができる。また、モルタル層１５に浸入した水分を通気空間１２を流れる空気により乾燥させることができる。【選択図】図１
2014025287.tif 000002
【特許請求の範囲】
【請求項１】
建物の躯体に設けられた防水シートと、
前記防水シートに、通気空間を空けて配置された不織布シートと、
前記不織布シートに設けられたラス網と、
前記ラス網を含む前記不織布シート上にモルタル材を塗布して形成されたモルタル層とを備えたことを特徴とする建物の外壁構造。
【請求項２】
前記通気空間は、前記防水シートと前記不織布シートとの間に配置された隙間部材により形成された請求項１記載の建物の外壁構造。
【請求項３】
前記隙間部材は、上下方向に沿って設けられている請求項２記載の建物の外壁構造。
【請求項４】
前記ラス網は、互いに交差する線材により形成された網本体が、前記不織布シートに接する部分と、前記不織布シートから離間して、前記不織布シートとの間が隙間となる部分とにより、立体的に形成されている請求項１から３のいずれかの項に記載の建物の外壁構造。
【請求項５】
前記ラス網は、前記不織布シートを介在させてステープル針により固定され、前記ステープル針は、針状の一対の脚部と、前記脚部の頭頂部同士を繋ぐ頭部とからなり、前記頭部は、上方に凸をなす形状に形成されている請求項１から４のいずれかの項に記載の建物の外壁構造。
【発明の詳細な説明】
【技術分野】
【０００１】
本発明は、モルタル材を塗布して形成される建物の外壁構造に関するものである。
【背景技術】
【０００２】
建物の外壁としては、モルタル材を塗布したモルタル外壁や、または、タイル材、樹脂板、ガルバリュウム鋼板等のサイディング材を貼り付けたサイディング外壁などがある。モルタル外壁は、サイディング材の表面が劣化した場合と比較して、メンテナンス性に優れている。また、モルタル外壁の表面に漆喰を上塗りするなどすれば、建物の意匠性を高めることができる。
【０００３】
モルタル外壁は、建物の躯体に張られたターポリン紙などの防水シートにラス網をステープルにより固定し、モルタル材を塗布してモルタル層を形成して施工される。このように施工されるモルタル外壁は、モルタル層にクラックが発生しやすい。それは、モルタル外壁内に浸入した雨水がラス網を錆びさせることでモルタル層が防水シートから剥離し、押し上げられることで、表面のクラックとなって現れるからである。
このようなクラックが発生しやすいモルタル外壁の構造に関する技術として、特許文献１に記載されたものが知られている。
【０００４】
特許文献１に記載の外壁防水構造は、帯状小幅板を互いに交差させた状態で接合一体化した壁下地シートと、基材シートの外壁材側の面が不織布層によってコーティングされると共に、壁下地パネル側の面が高分子吸収樹脂層によってコーティングされた防水シートと、防水シートの外側に取り付けられたラス網およびモルタルとを備えたものである。
この特許文献１に記載の外壁防水構造によれば、防水性の基材シートとモルタルとの間に不織布層を介在させることにより、防水シートとモルタルとが強固に密着するので、雨水が滞留することが防止できる。
【先行技術文献】
【特許文献】
【０００５】
【特許文献１】特開２００９−１８００３２号公報
【発明の概要】
【発明が解決しようとする課題】
【０００６】
しかし、特許文献１に記載の外壁防水構造では、不織布によってコーティングされた防止シートに、ラス網を取り付け、モルタル材を敷設しているので、防水シートとモルタル層とを密着した状態にできたとしても、浸入した水分によりラス網に錆が発生し、この錆がモルタル層を押し上げてしまい、クラックが発生するおそれがある。従って、モルタル層のクラックの発生が防止できるとは言い難い。
【０００７】
モルタル層にクラックが生じれば、上塗層である、例えば、漆喰などにも引き継がれ、クラックとなって現出してしまう。
【０００８】
そこで本発明は、雨水が浸入してもモルタル層のクラックの発生を防止することができる建物の外壁構造を提供することを目的とする。
【課題を解決するための手段】
【０００９】
本発明の建物の外壁構造は、建物の躯体に設けられた防水シートと、前記防水シートに、通気空間を空けて配置された不織布シートと、前記不織布シートに設けられたラス網と、前記ラス網を含む前記不織布シート上にモルタル材を塗布して形成されたモルタル層とを備えたことを特徴とする。
【００１０】
本発明によれば、不織布シートがモルタル層に浸入した水分を吸収して拡げる。不織布シートは、通気空間に面しているため吸収した水分を放散させることができるため、ラス網を錆びさせることなく、モルタル層を乾燥させることができる。
【００１１】
前記通気空間が、前記防水シートと前記不織布シートとの間に配置された隙間部材により形成されると、通気空間を容易に確保できると共に、防水シートや不織布シートの面積が広くても隙間部材により支持させることができ、防水シートや不織布シートの撓みを防止することができる。
【００１２】
前記隙間部材が、上下方向に沿って設けられていると、床側から天井側に流れる上昇気流にモルタル層が形成される不織布シートを晒すことができる。
【００１３】
前記ラス網は、互いに交差する線材により形成された網本体が、前記不織布シートに接する部分と、前記不織布シートから離間して、前記不織布シートとの間が隙間となる部分とにより、立体的に形成されているのが望ましい。ラス網が立体的に形成されていることで、モルタル層を層厚に形成しても、しっかりとラス網が保持するため、モルタル層の強度を向上させることができ、モルタル層の剥離を防止することができる。
【００１４】
前記ラス網は、前記不織布シートを介在させて前記躯体にステープル針により固定され、前記ステープル針は、針状の一対の脚部と、前記脚部の頭頂部同士を繋ぐ頭部とからなり、前記頭部は、上方に凸をなす形状に形成されているのが望ましい。
ステープル針の頭部が上方に凸をなす形状に形成されているので、ステープル針を躯体に打ち込むと、ステープル針の頭部と躯体との隙間が脚部の頭頂部に近づくほどせまくなる。従って、ラス網がステープル針の頭部に沿ってずれにくいので、しっかりとラス網を固定することができる。
【発明の効果】
【００１５】
本発明は、不織布シートが通気空間に面しているため吸収した水分を放散させることができるため、ラス網を錆びさせることなく、モルタル層を乾燥させることができる。従って、本発明によれば、雨水が浸入してもモルタル層のクラックの発生を防止することができる。
【図面の簡単な説明】
【００１６】
【図１】本発明の実施の形態に係る外壁構造を説明するための図である。
【図２】図１に示す外壁の断面図であり、（ａ）はＡ−Ａ線の一部断面図、（Ｂ）はＢ−Ｂ線の一部断面図である。
【図３】ラス網を示す斜視図である。
【図４】ステープル針を示す正面図である。
【図５】図１に示す外壁の施工方法を説明するための図であり、防水シートを張った状態を示す図である。
【図６】図１に示す外壁の施工方法を説明するための図であり、隙間部材を配置した状態を示す図である。
【図７】図１に示す外壁の施工方法を説明するための図であり、不織布シートを配置した状態を示す図である。
【図８】図１に示す外壁の施工方法を説明するための図であり、ラス網を配置した状態を示す図である。
【図９】ラス網により不織布シートを固定した状態を示す断面図である。
【図１０】図１に示す外壁の施工方法を説明するための図であり、モルタル層を形成した状態を示す図である。
【図１１】水切を示す斜視図である。
【発明を実施するための形態】
【００１７】
本発明の実施の形態に係る建物の外壁構造について、図面に基づいて説明する。なお、本実施の形態では、モルタル外壁を下地層とし、上塗層として漆喰材による漆喰層を形成した外壁を説明する。
図１に示す外壁１０は、建物の外壁として躯体２０に設けられるものである。
【００１８】
躯体２０としては、柱材２１の屋内側の柱面に遮音シート（図示せず）が張られ、柱材２１同士の間に断熱材２２が配置され、断熱材２２の屋外側に壁板２３が張られている。
また、躯体２０には、外気を取り入れるために、壁面から側方へ突出した水切３０が設けられている。水切３０は、図１１に示すように、金属板を折り曲げ加工することにより形成されている。水切３０は、内部が中空で、垂直断面が台形状に形成された水切本体３１と、水切本体３１の上端部から天井方向へ延びる縁部３２とを備えている。水切本体３１の底面に、通気孔であるスリット３１１が、水切本体３１の長さ方向に沿って設けられている。
【００１９】
外壁１０は、防水シート１１、通気空間１２、隙間部材１３、不織布シート１４、モルタル層１５、ラス網１６とによるモルタル外壁Ｗ１と、ネット１７、漆喰層１８とによる上塗層Ｗ２を備えている。
【００２０】
防水シート１１は、躯体２０の壁板２３に張り付けられている。防水シート１１は、単に防水するだけでなく、透湿性を有するものが望ましく、透湿防水シートが使用できる。防水シート１１としては、極細な繊維で形成された不織布タイプや微細孔を有するフィルムタイプのものが使用できる。
通気空間１２は、隙間部材１３同士の間の空間であり、床部と天井部との間を流れる空気の通路となる。
【００２１】
隙間部材１３は、防水シート１１と不織布シート１４との間の通気空間１２を確保するために設けられた胴縁、または胴縁同士の間に追加される補助胴縁である。隙間部材１３は、木製としたり、プラスチック製としたりすることができる。隙間部材１３は、水平方向に沿って設けられる横胴縁としたり、上下方向に沿って設けられる縦胴縁としたりすることができるが、床部と天井との間の通気性を考慮すると縦胴縁とするのが望ましい。
【００２２】
不織布シート１４は、ラス網と共に、隙間部材１３の屋外側に固定される。不織布シート１４は、モルタル材が固化したときに、モルタル材を含浸させた繊維部分がモルタル材と一体的になってモルタル層１５を担持する。不織布シート１４は、コットン・麻・竹・パルプなどの天然繊維、レーヨンやキュプラなどの化学繊維、ナイロンやポリエステル、アクリル、ポリプロピレン、ポリウレタン、ポリエチレンなどの合成繊維などにより形成された各種のものが使用できるが、モルタル層１５の水分を吸収できる吸湿性に優れたものが望ましい。不織布シート１４に塗布されるモルタル材はアルカリ性であるため、ポリエステルより耐アルカリ性の高いポリエチレンとするのが望ましい。本実施の形態では、繊維の芯をポリエステル、鞘をポリエチレンで形成した二重構造の２成分複合型スパンボンド不織布を使用している。
【００２３】
モルタル層１５は、モルタル材を不織布シート１４に塗布して固化させたものである。モルタル層１５の層厚は、ラス網１６全体を覆うように形成されている。モルタル材としては、様々なモルタル材が使用できる。本実施の形態では、セメント、硅砂、パーライト、アクリル繊維、ＣＭＣ（Carboxy methyl cellulose）糊材、ゴムチップ、薬剤等を混合させた既調合モルタル材を使用している。
【００２４】
ラス網１６は、モルタル層１５の滑落を防止するもので、モルタル外壁Ｗ１の骨格となるものである。ラス網１６は、図３に示すように、線材が細かな網目状に組まれた網本体１６１と、網本体１６１を形成している線材より太い線材により形成された格子状の支持線材１６２とにより形成されている。
網本体１６１には、不織布シート１４に接する幅方向に沿った直線状の凹部１６１ａが形成されている。支持線材１６２は、網本体１６１の内側に位置する縦線材１６２ａと、網本体１６１の外側に位置する横線材１６２ｂとにより格子状に形成されている。縦線材１６２ａは、網本体１６１の凹部１６１ａの位置に合わせて湾曲部が形成されている。横線材１６２ｂは、網本体１６１の凹部１６１ａに沿って設けられている。
【００２５】
このラス網１６は、図４に示すステープル針１９により隙間部材１３に固定されている。図４に示すステープル針１９は、針状の一対の脚部１９１と、脚部１９１の頭頂部同士を繋ぐ頭部１９２とから形成されている。頭部１９２は、上方に凸をなす略Ｕ字形状に形成されている。
【００２６】
ネット１７は、最表面層として形成される漆喰層１８のクラック防止のためのものである。ネット１７は、例えば、ガラス繊維により形成されたものが使用できる。本実施の形態では、ネット１７として、ジルコニアを含有した耐アルカリ性を有するグラスファイバーネットを採用している。漆喰層１８は、石灰を主成分とした従来のものが使用できる。
【００２７】
以上のように構成された本発明の実施の形態に係るモルタル外壁の施工方法について、図面に基づいて説明する。
図５に示すように、躯体２０の壁板２３に剥離紙を剥がした両面テープを貼り付けた後に、他面側の剥離紙を剥がして、防水シート１１を貼り付ける。
次に、図６に示すように、隙間部材１３として、胴縁または補助胴縁のいずれか一方または両方を上下方向に沿って所定間隔ごとに設置する。また、水切３０を土台２４に設置する。
【００２８】
次に、図７に示すように、それぞれの隙間部材１３を覆い隠すように、不織布シート１４を配置する。そして、図８に示すように、その上にラス網１６を配置して、ステープル針１９を打ち込んで、ラス網１６と共に、不織布シート１４を固定する。ステープル針１９を打ち込む際には、図９に示すように、ラス網１６の支持線材１６２の縦線材１６２ａと横線材１６２ｂとの交差部分で、かつ隙間部材１３が位置する場所に打ち込む。
【００２９】
ラス網１６の固定が完了すれば、図１０に示すように、モルタル材を塗布し、固化させてモルタル層１５を形成する。モルタル層１５は、ラス網１６全体を覆う厚みに形成する。モルタル層１５は、モルタル材が不織布シート１４に染み入ることで、モルタル材がしっかりと不織布シート１４に担持されるので、層厚なモルタル層１５を不織布シート１４上に形成することができる。
【００３０】
図１に示すように、モルタル層１５上にネット１７を配置して固定する。そして、ネット１７を覆うように漆喰材を塗布して固化させ、漆喰層１８を形成する。漆喰層１８がネット１７を含んで形成されることで、漆喰層１８を強化することができる。
【００３１】
以上のように形成される外壁１０は、防水シート１１に通気空間１２を空けて不織布シート１４を配置したことにより、不織布シート１４の屋内側が、通気空間１２となっているため、モルタル層１５が形成された不織布シート１４の屋内側に新規な空気が流れ込む。従って、図１０に示すように、不織布シート１４にモルタル材を塗布してモルタル層１５を形成するときに、外気に露出したモルタル層１５のおもて面と、通気空間１２に露出した裏面の両万から、モルタル材を乾燥させることができるので、モルタル層１５を早期に乾燥させることができる。従って、モルタル層１５の固化期間を短縮することができるので、工期短縮を図ることができる。
【００３２】
また、図１に示すように、外壁１０が完成した後では、漆喰層１８から水分が浸入してモルタル層１５までに至ったとしても、不織布シート１４がモルタル層１５に浸入した水分を吸収して拡げ、通気空間１２に面した不織布シート１４から、吸収した水分を放散させることができるため、ラス網１６を錆びさせることなく、モルタル層１５を乾燥させることができる。従って、雨水が浸入してもモルタル層１５のクラックの発生を防止することができる。
【００３３】
更に、モルタル外壁Ｗ１へのクラックが防止できるので、モルタル外壁Ｗ１にクラックが発生したことによる上塗層Ｗ２の漆喰層１８へのクラックの伝搬を防止することができる。
【００３４】
ラス網１６は、図２および図３に示すように、網本体１６１の凹部１６１ａが不織布シート１４に接する接触部となり、それ以外が、不織布シート１４から離間して、不織布シート１４との間が隙間となる部分とにより、立体的に形成されている。そのため、網本体１６１の凹部１６１ａ以外の不織布シート１４から離間した部分が、モルタル層１５の中層でしっかりとモルタル層１５を担持する。従って、ラス網１６が立体的に形成されていることで、層厚に形成されたモルタル層１５をしっかりと担持させることができるので、モルタル層１５の剥離を防止することができる。
【００３５】
また、ラス網１６は、立体的に形成された網本体１６１が、格子状の支持線材１６２によって補強されていることで、厚みが平面的なラス網と比較して厚いため、ラス網自体の強度を向上させることができるので、外壁全体の強度を向上させることができる。
【００３６】
ラス網１６を覆うモルタル層１５が形成されることでラス網１６にモルタル層１５の重量が掛かる。ラス網１６は、隙間部材１３に図４および図９に示す略Ｕ字状のステープル針１９により固定されているため、ステープル針１９の頭部１９２と隙間部材１３との隙間が脚部１９１の頭頂部に近づくほど狭くなる。従って、ラス網１６がステープル針１９の頭部１９２に沿ってずれにくいので、しっかりとラス網１６を隙間部材１３に固定することができる。
【００３７】
なお、本実施の形態に係る外壁１０では、モルタル外壁Ｗ１に上塗層Ｗ２を形成しているが、建物の外壁として、モルタル外壁Ｗ１のみでもよい。
【産業上の利用可能性】
【００３８】
本発明は、建物の外壁として好適であり、上塗層として、漆喰を塗布するときには最適である。
【符号の説明】
【００３９】
１０  外壁
Ｗ１  モルタル外壁
１１  防水シート
１２  通気空間
１３  隙間部材
１４  不織布シート
１５  モルタル層
１６  ラス網
１６１  網本体
１６１ａ  凹部
１６２  支持線材
１６２ａ  縦線材
１６２ｂ  横線材
Ｗ２  上塗層
１７  ネット
１８  漆喰層
１９  ステープル針
１９１  脚部
１９２  頭部
２０  躯体
２１  柱材
２２  断熱材
２３  壁板
２４  土台
３０  水切
３１  水切本体
３１１  スリット
３２  縁部
【図１】
2014025287.tif 000003
【図２】
2014025287.tif 000004
【図４】
2014025287.tif 000005
【図５】
2014025287.tif 000006
【図６】
2014025287.tif 000007
【図７】
2014025287.tif 000008
【図８】
2014025287.tif 000009
【図９】
2014025287.tif 000010
【図１０】
2014025287.tif 000011
【図１１】
2014025287.tif 000012
【図３】
2014025287.tif 000013